(57)【要約】 【課題】  本発明は、金属板において使用する雌螺子部、及び雄螺子部と雌螺子部との螺挿法に関するものである。 【解決手段】  本発明は、金属板１において特殊な雌螺子部３を構成するとともに雌螺子部の螺挿法を提供することを目的とするもので、金属板にプレス加工により羽根片３を周設した通孔２を設け、この通孔に設けた羽根片を適当角度に曲折して形成する雌螺子部である。また本発明は、金属板にプレス加工により羽根片を周設した通孔を設け、この通孔に設けた羽根片を適当角度に曲折し、かかる通孔の羽根片先端が雄螺子４の凹溝に係合して螺挿するようにする雄螺子部と雌螺子部との螺挿法である。【選択図】    図４
2017214942.tif 000002
【特許請求の範囲】
【請求項１】
金属板にプレス加工により羽根片を周設した通孔を設け、この通孔に設けた羽根片を適当角度に曲折して成ることを特徴とする雌螺子部。
【請求項２】
金属板にプレス加工により羽根片を周設した通孔を設け、この通孔に設けた羽根片を適当角度に曲折し、かかる通孔の羽根片先端が雄螺子の凹溝に係合して螺挿するようにすることを特徴とする雄螺子部と雌螺子部との螺挿法。
【発明の詳細な説明】
【技術分野】
【０００１】
本発明は、金属板において使用する雌螺子部及び雄螺子部と雌螺子部との螺挿法に関するものである。
【背景技術】
【０００２】
雄螺子を薄金属板に留め付け固定したい場合は、一般的には（１）プレス下孔加工により別途雌螺子（ナット）等の固定部材を使用する方法、（２）プレス下孔加工により別途タップ加工又は別途ねじ切り加工する方法であるから、別途追加部材の使用や加工が必要であり、また特許文献として知られる加工技術としては、次の４件が認められる。
【先行技術文献】
【特許文献】
【０００３】
【特許文献１】特開２００２−１６８２２５号公報
【特許文献２】特許第３４２０４４６号公報
【特許文献３】実用新案登録第３１５８７３１号公報
【特許文献４】特開２００１−３０１１４号公報
【０００４】
このうち特許文献１は、ボルトにワンタッチで固定するための押圧嵌入式のナットであり、比較的薄い１枚の金属板を打ち抜くことによって製造するものであり、１枚の薄金属板の打ち抜き片を折返し部を介して折り重ねた一対の基部から成るもので、弾性反発作用を利用することによりスプリングワッシャの機能を兼ねたナットの代用品である。
【０００５】
特許文献２は、図７に示すように支軸を圧入すると、支軸がばね板ナット部を外側に押し開くように挿入され、雌螺子の加工技術というよりはプレスかしめ技術に相当するものである。
【０００６】
特許文献３は、円柱状凸部にプッシュナット部材の嵌合孔を押し込むことによって固定するもので、特許文献２と同様のプレスかしめ技術に相当するものである。
【０００７】
特許文献４は、一つの工具によって連続した工程として作業するもので、下孔加工領域を含むバーリング加工領域と螺子部が設けられたタップ領域とを具備するバーリング加工用用具である。
【０００８】
しかしながら、いずれの特許文献に見られる技術も、本発明が目的と効果としている金属板における簡易な螺締作業を行うものとは異なるものである。
【発明の概要】
【発明が解決しようとする課題】
【０００９】
そこで、本発明は、金属板において特殊な雌螺子部を構成するとともに雌螺子部の螺挿法を提供することを目的とするものである。
【課題を解決するための手段】
【００１０】
本発明は、金属板にプレス加工により羽根片を周設した通孔を設け、この通孔に設けた羽根片を適当角度に曲折して形成する雌螺子部である。
【００１１】
本発明は、金属板にプレス加工により羽根片を周設した通孔を設け、この通孔に設けた羽根片を適当角度に曲折し、かかる通孔の羽根片先端が雄螺子の凹溝に係合して螺挿するようにする雄螺子部と雌螺子部との螺挿法である。
【発明の効果】
【００１２】
第１に、本発明にあっては、いかなる金属板面上のいかなる部分であっても加工することができるのであり、それによって有効な機能を発揮することができるのである。
【００１３】
第２に、本発明にあっては、金属板の厚さに制限はなく、任意の材厚において実施することができるのである。
【００１４】
第３に、本発明にあっては、あくまでも雄螺子に対する雌螺子という位置関係にあるものであるから、ボルトを回転させて挿入するという通常の螺締手段として使用することができるのである。
【００１５】
第４に、本発明にあっては、雄螺子部が専ら垂直効果に有効な作用をする雌螺子部を提供するものである。
【図面の簡単な説明】
【００１６】
【図１】（Ａ）は金属板に穿設した通孔の雌螺子部に雄螺子を螺挿した状態を示す平斜視図、（Ｂ）は同上要部の拡大平斜視図
【図２】（Ａ）は金属板に穿設した通孔の雌螺子部に雄螺子を螺挿した状態時の底斜視図、（Ｂ）は同上要部の拡大底斜視図
【図３】雌螺子部への雄螺子の螺挿前の側断面図
【図４】雌螺子部への雄螺子の螺挿中の側断面図
【図５】雌螺子部の各要部を示し、（Ａ）は要部の平面図、（Ｂ）は要部の側断面図、（Ｃ）は要部の平断面図
【発明を実施するための形態】
【００１７】
本発明を実施するための工程を説明すると、次のとおりである。
【００１８】
第１に任意の金属板にプレス加工により通孔を穿設する工程、
【００１９】
第２にこの通孔に対しプレス加工により羽根片を周設する工程、
【００２０】
第３にこの羽根片を適当角度に曲折する工程、
【００２１】
第４にこの曲折羽根片の端部が通孔に挿入した雄螺子の凹溝に係合することにより雌螺子として雄螺子との螺締を行うようにする工程、
【００２２】
から成るものである。
【実施例】
【００２３】
１は金属板で、この板厚は例えば０．５ｍｍ材である。
【００２４】
２は前記金属板１の適所に穿設した通孔で、この通孔の周囲には角度４５°に曲折突出した羽根片３・・が形成されている。
【００２５】
前記通孔２に螺挿する雄螺子４の凸角部の直径は４ｍｍとし、凹溝部の直径は３．５ｍｍとする。
【００２６】
そこで、雄螺子４のねじ山（凸角部）に対し、最も有効な前記羽根片３・・の曲げ角度Ａを考察すると、雄螺子４に対し雌螺子が隣接する角度は、材料切断面角度θの雌螺子とする点を通りかつ金属板の平面との平行線に対し、
【００２７】
【数１】
2017214942.tif 000003
となる。
【００２８】
Ｂ及びＢ’は雌螺子の水平線に対する角度であるから、羽根曲げ角度Ａは、
【００２９】
【数２】
2017214942.tif 000004
となる。
【００３０】
また、切断面角度θは、通常プレス加工でほぼ９０°となり、Ａ，Ｂ，Ｂ’はその２分の１である４５°が主流であるが、雄螺子の開き角度θ’との相関性が重要であり、最も適正と思われる切断面角度θは、θ＝θ’と考えられる。
【００３１】
但し、これは切断面角度θを任意の角度で切断できる加工技術を要するものであり、用途・精度によって必要に応じて選択することができる。
【００３２】
雌螺子加工で重要な要求事項の一つはその強度にあり、一般的には締め付けトルクと呼ばれている。
【００３３】
本件の場合にあっては、加工された羽根片部分の強度が間接的にトルクの強弱に影響する。
【００３４】
加工された羽根片部分の強度を構成する要素としては、次のとおり多数ある。
【００３５】
（１）素材，（２）表面処理，（３）熱処理，（４）材料の厚さ，（５）羽根片部分の平面上の大きさ，（６）その他補強としての加工等である。
【符号の説明】
【００３６】
１                          金属板
２                          通孔
３                          羽根片（雌螺子部）
４                          雄螺子
【図１】
2017214942.tif 000005
【図２】
2017214942.tif 000006
【図３】
2017214942.tif 000007
【図４】
2017214942.tif 000008
【図５】
2017214942.tif 000009